(57)【要約】  現在位置に対応する道路の環境を擬音によってユーザに的確に知らせる擬音発生システムを提供する。擬音発生システムとしてのナビゲーション装置１００は、道路網の各道路を表すリンクのデータを含む道路網データ２１０を格納する地図データ記憶装置１０と、現在位置を取得する自車両情報取得部１２と、現在位置の属するリンクを特定する走行道路判定部１３とを備える。地図データ記憶装置１０には、各リンクに関連づけされた複数の擬音データが格納されており、制御部１９は、複数の擬音データから、現在位置の属するリンクに対応付けされた擬音データを判定する。
2013190637.tif 000002
【特許請求の範囲】
【請求項１】
道路網の各道路を表すリンクのデータを含む道路網データを格納する記憶部と、
現在位置を取得する現在位置取得部と、
前記現在位置の属するリンクを特定する道路判定部と、
複数の擬音データから、前記現在位置の属するリンクに対応付けされた擬音データを判定する擬音判定部と、
前記擬音判定部が判定した擬音データに応じた擬音を出力する擬音発生部とを備える
ことを特徴とする擬音発生システム。
【請求項２】
前記複数の擬音データは、各リンクに対応付けされて前記記憶部に格納されている
請求項１記載の擬音発生システム。
【請求項３】
各リンクに対応付けされた複数の擬音データを、通信により新たに取得する擬音データ取得部をさらに備える
請求項２記載の擬音発生システム。
【請求項４】
前記擬音判定部は、前記記憶部に予め格納された擬音データと前記擬音データ取得部によって新たに取得された擬音データとが、同じリンクに対応付けされている場合、前記擬音データ取得部によって新たに取得された擬音データを優先的に選択する
請求項３記載の擬音発生システム。
【請求項５】
各リンクに対応付けされた前記複数の擬音データを、通信により取得する擬音データ取得部をさらに備える
請求項１記載の擬音発生システム。
【請求項６】
前記擬音判定部は、通信により取得した情報に基づいて、前記擬音発生部に出力させる擬音を変更する
請求項１記載の擬音発生システム。
【請求項７】
前記通信により取得した情報は、交通情報、気象情報、災害情報のいずれかを含む
請求項６記載の擬音発生システム。
【請求項８】
各種のセンサにより周辺の状態を検知する周辺情報取得部をさらに備え、
前記擬音判定部は、前記周辺の状態に基づいて、前記擬音発生部に出力させる擬音を変更する
請求項１記載の擬音発生システム。
【請求項９】
前記センサは、赤外線センサ、音センサ、画像センサ、雨センサ、車速センサ、傾斜角センサのいずれかを含む
請求項８記載の擬音発生システム。
【請求項１０】
前記リンクのデータは、当該リンクが示す道路の路面素材の情報を含み、
各リンクには、当該リンクが示す道路の路面素材に応じた擬音データが対応付けられている
請求項１記載の擬音発生システム。
【請求項１１】
当該擬音発生システムは、車両に搭載されており、
前記擬音判定部は、前記現在位置が高速道路または有料道路から一般道に移動すると、一定時間、前記擬音発生部から所定の擬音を出力させる
請求項１記載の擬音発生システム。
【請求項１２】
車両に搭載される擬音発生システムであって、
駐車エリアのデータを含む地図データを格納する記憶部と、
現在位置を取得する現在位置取得部と、
前記現在位置が駐車エリアであるとき、当該車両のセンサにより障害物を検知すると、所定の擬音を出力する前記擬音発生部とを備える
ことを特徴とする擬音発生システム。
【請求項１３】
前記擬音発生部は、前記車両の内と外のそれぞれに擬音を出力する
請求項１２記載の擬音発生システム。
【請求項１４】
道路網の各道路を表すリンクのデータを含む道路網データと、
各リンクに対応付けされる複数の擬音データを示す情報とが格納されている
ことを特徴とする地図データベース。
【請求項１５】
各リンクのデータは、それに対応付けされた擬音データを識別するための識別子を含んでいる
請求項１４記載の地図データベース。
【発明の詳細な説明】
【技術分野】
【０００１】
本発明は、状況に応じた擬音を発生する擬音発生システムに関するものであり、特に、ナビゲーション装置など、現在位置に関する情報を提供するシステムに関するものである。
【背景技術】
【０００２】
車載用のナビゲーション装置（カーナビゲーション装置）に用いられる擬音発生システムに関しては、例えば下記の特許文献１において、自車位置が地図上の所定の場所に近づいたときに、その場所に対応した擬音（環境音）を再生する技術が提案されている。また、例えば下記の特許文献２では、地図上の地点に音データを関連づけて登録し、自車位置がその登録地点に近づいたことを特定の音で知らせる技術が提案されている。
【先行技術文献】
【特許文献】
【０００３】
【特許文献１】特開２００６−２６６９０２号公報
【特許文献２】特開平６―２０７８３２号公報
【発明の概要】
【発明が解決しようとする課題】
【０００４】
車の運転者が、走行環境（例えば路面状態や、交通状況、天候など）を的確に認識することは、運転の手助けとなり有効である。しかし、例えば夜間走行中には、路面状態や空の雲行きを視認できないため、走行環境を認識することは難しい。また、エアコン使用時など車窓を閉めた状態では、走行音から路面状態を判断することや、風の強さを認識することは難しい。【０００５】
特許文献１，２の技術では、所定の「地点」と音データとが対応付けされ、自車がその地点に近づいたことをユーザ（運転者）に音で知らせるものであり、自車の走行環境をユーザに知らせるものではない。【０００６】
本発明は以上のような課題を解決するためになされたものであり、現在位置に対応する道路の環境を擬音によってユーザに的確に知らせる擬音発生システムを提供することを目的とする。
【課題を解決するための手段】
【０００７】
本発明に係る擬音発生システムは、道路網の各道路を表すリンクのデータを含む道路網データを格納する記憶部と、現在位置を取得する現在位置取得部と、現在位置の属するリンクを特定する道路判定部と、複数の擬音データから、現在位置の属するリンクに対応付けされた擬音データを判定する擬音判定部と、擬音判定部が判定した擬音データに応じた擬音を出力する擬音発生部とを備えるものである。
【発明の効果】
【０００８】
本発明に係る擬音発生システムによれば、現在位置の道路（リンク）に応じた擬音が発生されるため、ユーザはその道路の状況（例えば路面状態、交通状況、天候）に応じた情報を、擬音を通して認識することができる。【０００９】
この発明の目的、特徴、局面、および利点は、以下の詳細な説明と添付図面とによって、より明白となる。
【図面の簡単な説明】
【００１０】
【図１】実施の形態１に係る擬音発生システムが適用されたカーナビゲーション装置の構成を示す図である。
【図２】実施の形態１に係る地図データベースのデータ構成を示す図である。
【図３】道路データにおけるリンクとノードの関係を説明するための図である。
【図４】実施の形態１に係る地図データベースに格納されるリンクレコードのデータ構成を示す図である。
【図５】路面素材コードの一例を示す図である。
【図６】標識コードの一例を示す図である。
【図７】車内用擬音データリスト（走行音）の一例を示す図である。
【図８】車内用擬音データリスト（環境音）の一例を示す図である。
【図９】車内用擬音データリスト（自然音）の一例を示す図である。
【図１０】車外用擬音データリスト（警告音）の一例を示す図である。
【図１１】車内用擬音データリスト（警告音）の一例を示す図である。
【図１２】実施の形態１に係るナビゲーション装置における擬音発生動作を示すフローチャートである。
【発明を実施するための形態】
【００１１】
＜実施の形態１＞
図１は、実施の形態１に係る擬音発生システムの構成を示す図である。ここではその具体的な構成例として、本発明に係る擬音発生システムを組み込んだカーナビゲーション装置を示す。
【００１２】
図１のように、ナビゲーション装置１００は、以下に説明する地図データ記憶装置１０、経路探索部１１、自車両情報取得部１２、走行道路判定部１３、操作入力部１４、車両周辺情報取得部１５、無線通信部１６、擬音合成部１７、擬音発生部１８および制御部１９を備えている。
【００１３】
地図データ記憶装置１０は、地図データベースと各種の擬音データを格納する記憶部である。経路探索部１１は、地図データベース内の道路網データに基づいて、地図上の２点間の経路（例えば現在地から目的地までの最適経路）を求める手段である。ナビゲーション装置１００は、経路探索部１１が求めた経路を自車が通るように、表示部（図示せず）や音声出力部（車内スピーカ２１）を用いて運転者への案内を行う。
【００１４】
自車両情報取得部１２は、自車の走行状態に関する情報（自車両情報）を取得する手段である。当該自車両情報取得部１２は、自車に搭載された車速センサ３６、傾斜角センサ３７、ＧＰＳ受信機３８から、それぞれ自車の車速、路面の傾斜角、自車の現在位置を取得する。つまり、自車両情報取得部１２は、ＧＰＳ受信機３８が受信した情報に基づいて、現在位置を取得する現在位置取得部としての機能を有している。
【００１５】
走行道路判定部１３は、自車両情報取得部１２が取得した現在位置、自車両情報取得部１２が取得した自車両情報、および地図データベースの道路網データを用いたマップマッチング技術により、地図上の現在位置、すなわち自車が走行中の道路を特定する手段である。操作入力部１４は、ユーザがナビゲーション装置１００に対する操作を行うユーザインターフェイスであり、ユーザはこれを用いて目的地の設定などを行うことができる。
【００１６】
車両周辺情報取得部１５は、自車が有するセンサを用いて外部環境に関する情報（外部環境情報）を取得する手段である。車両周辺情報取得部１５は、自車の赤外線センサ３１、マイク３２および騒音センサ３３（音センサ）、カメラ３４（画像センサ）、雨量センサ３５（雨センサ）から、自車周囲の障害物や人の存在や、車外の音、降雨状況などの情報を取得する。
【００１７】
無線通信部１６は、例えばＶＩＣＳ（Vehicle Information and Communication System）（登録商標）受信機、またはＤＳＲＣ（Dedicated Short Range Communication）、無線ＬＡＮ（Local Area Network）端末、携帯電話等である。この無線通信部１６は、各種のインフラストラクチャ（略称「インフラ」）から配信される外部環境情報を受信するインフラ情報取得部１６ａと、擬音配信サービスにより配信される配信擬音情報４４を受信する配信擬音情報取得部１６ｂとを含んでいる。
【００１８】
インフラ情報取得部１６ａは、各種のインフラが提供する情報配信サービスから、交通情報４１、気象情報４２、災害情報４３などを取得する。上記の車両周辺情報取得部１５が取得する外部環境情報は各車両固有の情報（車両周辺情報）であるが、インフラ情報取得部１６ａが受信する外部環境情報は一定範囲に存在する車両に共通して配信される情報（インフラ配信情報）である。
【００１９】
配信擬音情報取得部１６ｂが受信する配信擬音情報４４には、特定の道路に関連づけされた新たな擬音データを含んでおり、例えば地図データ記憶装置１０に格納されている擬音データの更新などに用いることができる。つまり、配信擬音情報取得部１６ｂは、擬音データを通信により新たに取得する擬音データ取得部としての機能を有している。
【００２０】
制御部１９は、ナビゲーション装置１００内の各要素の動作を制御するものであるが、自車の車内スピーカ２１および車外スピーカ２２から出力する擬音を選定する擬音判定部としての機能も備えている。すなわち、制御部１９は、走行道路判定部１３が判定した現在位置（走行中の道路）と、自車両情報取得部１２、車両周辺情報取得部１５、無線通信部１６が取得した各種の情報に基づいて、車内スピーカ２１および車外スピーカ２２からどの擬音を出力させるか判定する処理を行う。
【００２１】
擬音合成部１７は、制御部１９が選定した１以上の擬音データを合成し、合成後の擬音データに対応する音声信号を擬音発生部１８に入力する。擬音発生部１８は、アンプ（増幅器）を内蔵しており、車内スピーカ２１および車外スピーカ２２を駆動して、擬音合成部１７から受けた音声信号に従い擬音を発生させる。
【００２２】
ここで、地図データ記憶装置１０に格納される地図データベースおよび擬音データについて説明する。
【００２３】
図２は、地図データ記憶装置１０に格納される地図データベース２００のデータ構成を示す図である。図２のように、地図データベース２００は、道路網を表す道路網データ２１０と、各道路に対応付けされる複数の擬音データを示す情報である車内用擬音データリスト２２１および車外用擬音データリスト２２２とを有している。
【００２４】
道路網データ２１０において、道路網の情報は、図３に示すように、道路上の特定の地点（交差点など）に対応する「ノード」と、ノード間の道路に対応する「リンク」とを用いて表現される。ノードおよびリンクにはそれぞれ固有の番号が付されている。
【００２５】
道路網データ２１０は、各ノードに接続するリンクを示すノードデータ２１１と、各リンクに接続するノードを示すリンクデータ２１２を含んでいる。一般に、ノードデータ２１１は、ノード毎に接続するリンクの番号（リンク番号）が記述された複数の「ノードレコード」を含んでおり、リンクデータ２１２は、リンク毎に接続するノードの番号（ノード番号）が記述された複数の「リンクレコード」を含んでいる。
【００２６】
図４は、リンクデータ２１２に含まれるリンクレコードのデータ構成を示す図である。図４のように、実施の形態１に係るリンクレコードは、始点側ノード番号、終点側ノード番号、リンク属性データ、リンク形状データ、路面素材コード、標識コード、車内用擬音データコード、車外用擬音データコードを含んでいる。
【００２７】
始点側ノード番号および終点側ノード番号は、当該リンクの両端に接続するノードの番号である（各リンクの向き（始点、終点））は、道路網データの作成時に決定される）。リンク属性データは、当該リンクが対応する道路の属性を表すデータであり、例えば、その道路の幅および車線数や、高速道路、有料道路、一般道の別などの情報が含まれる。リンク形状データは、当該リンクが対応する道路の中心線の形状を示す情報が含まれている。これらの情報は、現在の一般的なナビゲーション装置が有するリンクレコードにも含まれるものである。
【００２８】
本実施の形態では、リンクレコードに、上記の情報に加えて、当該リンクが対応する道路の路面の材質を示す識別子である路面素材コード、当該道路に設置されている標識を示す識別子である標識コード、当該リンクに対応付けされた車内用の擬音データを示す識別子である車内用擬音データコード、並びに、当該リンクに対応付けされた車外用の擬音データを示す識別子である車外用擬音データコードが含まれている。
【００２９】
図５は、路面素材コードの一例を示す図である。例えば、リンクがアスファルトの道路に対応する場合、そのリンクレコードには、路面素材コードとして「０００１」が記述されている。また図６は、標識コードの一例を示す図である。例えば、「スリップ注意」の標識が設置されている道路に対応するリンクのリンクレコードには、標識コードとして「０００１」が記述されている。
【００３０】
路面素材コードおよび標識コードは複数の値を有していてもよい。例えば、コンクリートの部分と土の部分とが混在する道路に対応するリンクのリンクレコードには、路面素材コードとして「０００２」と「０００３」の２つが記述されていてもよい。同様に、例えば「落石注意」の標識と「動物飛び出し注意」の標識の両方が設置された道路に対応するリンクのリンクレコードには、標識コードとして「０００２」と「０００３」の２つが記述されていてもよい。
【００３１】
図２に戻って、車内用擬音データリスト２２１は、リンクレコードに記述される車内用擬音データコードと擬音データとの対応関係を示すリストである。車外用擬音データリスト２２２は、リンクレコードに記述される車外用擬音データコードと擬音データとの対応関係を示すリストである。図１に示す、擬音判定部としての制御部１９は、リンクデータ２１２内のリンクレコードに記述された車内用擬音データコードおよび車外用擬音データコードと、車内用擬音データリスト２２１および車外用擬音データリスト２２２とを参照することにより、各リンクに対応付けされている擬音データを特定することができる。
【００３２】
本実施の形態では、車内用擬音データリスト２２１にはカテゴリ別に複数のリストが格納されている。図７〜図９はそれらの例を示す図である。これらの表の「項目」の欄には、説明の便宜上、擬音の名称を記載しているが、実際には、その擬音データの格納位置（例えば地図データ記憶装置１０内のアドレス）など、擬音データを読み出すための情報が記述されている。
【００３３】
図７に示す車内用擬音データリストＡは、自動車の走行音の擬音データと車内用擬音データコードとの対応を示している。走行音は路面素材によって変化するため、各種の路面素材に対応する擬音データが用意されている。例えば、アスファルトの道路に対応するリンク（図５の路面素材コードが０００１のリンク）のリンクレコードには、車内用擬音データコードとしてアスファルト道の走行音を示す「Ａ０００１」または「Ａ０００２」が記述される。このように同様の内容の擬音データが複数ある場合、そのうちのどのコードをリンクレコードに記述するかは、ユーザが好みに応じて選択できるようにしてもよい。
【００３４】
図８に示す車内用擬音データリストＢは、周囲の環境を表す音（環境音）の擬音データと車内用擬音データコードとの対応を示している。例えば、「スリップ注意」の標識がある道路に対応するリンク（図６の標識コードが０００１のリンク）のリンクレコードには、車内用擬音データコードとして自動車がスリップした音（スリップ音）を示す「Ｂ０００３」または「Ｂ０００４」が記述される。
【００３５】
また、インフラ情報取得部１６ａが取得した交通情報４１で示された工事区間に含まれる道路に対応するリンクのリンクレコードには、工事音を示す「Ｂ０００１」または「Ｂ０００２」が記述される。特に、自車が複数の車内スピーカ２１を有しており、工事の実施場所（自車からの方向）が特定できる場合は、ユーザが擬音から工事場所を認識できるように、その工事場所に近い側の車内スピーカ２１から工事音を発生させるとよい。
【００３６】
図９に示す車内用擬音データリストＣは、天候などの自然現象を表す音（自然音）の擬音データと車内用擬音データコードとの対応を示している。例えば、気象情報４２により暴風警報が発せられた地域の道路に対応するリンクのリンクレコードには、車内用擬音データコードとして暴風音を示す「Ｃ０００１」が記述され、強風注意報が発せられた地域の道路に対応するリンクのリンクレコードには、車内用擬音データコードとして強風音を表す「Ｃ０００２」が記述される。
【００３７】
一方、車外用擬音データリスト２２２（図２）には、自車の存在を周辺の人に知らせて注意を促す音（警告音）のリストが格納される。図１０は、車外用擬音データリスト２２２の一例を示す図である。各リンクにどの警告音を対応づけるかは、道路の路面素材や属性に応じて規定してもよいし、ユーザが好みに応じて設定できるようにしてもよい。なお、車外用擬音データリスト２２２も、上記の車内用擬音データリスト２２１の例のように、カテゴリ別の複数のリストを含んでいてもよい。
【００３８】
本実施の形態において、地図データ記憶装置１０は、リンクレコードに登録されることが馴染まない擬音データも格納している。図１１はその一例である。図１１に示す車内用擬音データリストＤは、運転者に注意を促すための音（警告音）の擬音データと車内用擬音データコードとの対応を示している。これらは、自車の周囲に障害物（人を含む）、他の車両などが検知された場合（これらは赤外線センサ３１、マイク３２、騒音センサ３３、カメラ３４等で検知される）に、そのタイミングで鳴らす擬音である。
【００３９】
車内用擬音データリストＤの擬音データの用途としては、例えば、車両の進行方向に障害物が検知されたときに、制御部１９が車内用擬音データコード「Ｄ０００１」あるいは「Ｄ０００２」を指定して、車内の車内スピーカ２１から衝突音を鳴らす、といった用途が考えられる。また、例えば車両の側方や下方に障害物が検知されたときには、制御部１９が車内用擬音データコード「Ｄ０００３」あるいは「Ｄ０００４」を指定して、車内スピーカ２１から摩擦音を鳴らすことも考えられる。このように、警告音は、ユーザに注意を促すべき事象が発生したタイミングで鳴らすことが想定されるので、リンクに対応付けさせる用途には馴染まないが、ユーザが好みに応じてリンクレコードに記述し、リンクに対応付けさせてもよい。
【００４０】
次に、実施の形態１に係るナビゲーション装置１００（擬音発生システム）における擬音発生動作を説明する。図１２はその動作を示すフローチャートである。
【００４１】
ナビゲーション装置１００は、自車のエンジンが始動すると（ステップＳ１）、制御部１９は、走行中に擬音を発生させるか否かを判断する（ステップＳ２）。擬音を発生させるか否かは、ユーザが操作入力部１４を操作して任意に設定可能である。擬音を発生させない設定の場合は（ステップＳ２においてＮＯ）、擬音発生動作は終了する。
【００４２】
擬音を発生させる設定の場合（ステップＳ２においてＹＥＳ）、制御部１９は、自車両情報取得部１２から自車の現在位置を取得し（ステップＳ３）、走行道路判定部１３を用いて自車が走行中の道路（リンク）を特定する（ステップＳ４）。
【００４３】
次に、制御部１９は、インフラ情報取得部１６ａを用いて交通情報４１、気象情報４２および災害情報４３など、インフラから配信されている外部環境情報（インフラ配信情報）を取得する（ステップＳ５）。続いて制御部１９は、自車両情報取得部１２を用いて、自車の車速や路面の傾斜角といった自車両情報を取得し（ステップＳ６）、車両周辺情報取得部１５を用いて、自車固有の外部環境情報（車両周辺情報）を取得し（ステップＳ７）、さらに、配信擬音情報取得部１６ｂを用いて配信擬音情報４４を取得する（ステップＳ８）。
【００４４】
制御部１９は、以上のステップで収集した情報に基づいて、車内スピーカ２１または車外スピーカ２２から出力させる１以上の擬音を選定する擬音判定処理を行う（ステップＳ９）。制御部１９により選定された擬音データは、擬音合成部１７により合成され（ステップＳ１０）、擬音発生部１８を通して車内スピーカ２１または車外スピーカ２２からそれぞれ出力される（ステップＳ１１）。
【００４５】
自車が走行を継続する場合は（ステップＳ１２においてＹＥＳ）、ステップＳ２に戻り、ステップＳ２〜Ｓ１１が繰り返し実行される。また、自車の走行が終了してエンジンが停止すると（ステップＳ１２においてＮＯ）、この擬音発生動作は終了する。
【００４６】
ここで、上記の擬音判定処理（ステップＳ９）の詳細を、具体例を挙げながら説明する。まず、制御部１９は、走行中の道路に対応するリンクのリンクレコードに記述された車内用擬音データコードおよび車外用擬音データコードを取得し、さらに車内用擬音データリスト２２１および車外用擬音データリスト２２２を参照することにより、当該道路に対応した擬音データを選択する。
【００４７】
例えば、車内用擬音データコードに「Ａ０００１、Ｂ０００３」（図７、図８）と記述されていれば、「アスファルト道走行音１」と「スリップ音１」が選択される。上で説明したように、リンクレコードには、対応するリンクの路面素材および設定されている標識に応じた車内用擬音データコードが予め記述されている。運転者は、車内スピーカ２１から出力されるアスファルト道走行音とスリップ音の擬音を聞くことにより、走行中の道路の路面がアスファルトであり、その区間には「スリップ注意」の標識が設定されていること認識することができる。
【００４８】
同様に「動物飛び出し注意」の標識がある道路では、車内スピーカ２１から「動物の鳴き声」が出力され、「落石注意」の標識がある道路では「落石音」が出力されることにより、運転者は、それらの標識の存在を的確に認識することができる。
【００４９】
また例えば、リンクレコードの車内用擬音データコードに「Ｃ０００１」（図９）が記述されていれば、「暴風音」が選択される。リンクレコードには、気象情報４２に応じた自然音の車内用擬音データコードが予め記述されている。よって、運転者は、車内スピーカ２１から出力される暴風音を聞くことになり、走行中の地域に暴風警報が発せされていることを認識することができる。
【００５０】
さらに、擬音データの選択は、複数の情報を組み合わせても行われる。例えば、走行中の道路に「冠水注意」の標識があり、且つ、気象情報４２により大雨注意報（または警報）が発せられた場合に、自然音（図９）である流水音を鳴らすとよい。「冠水注意」の標識が設置されていても、雨が降らなければ冠水は生じないからである。
【００５１】
無線通信部１６が取得する配信擬音情報４４には、道路（リンク）に関連づけされた新たな擬音データが含まれている。この配信擬音情報４４は、路面素材や標識の設置状況に変更が生じたときに配信される。
【００５２】
例えば、あるアスファルト道において、一時的な工事のためにアスファルトが剥がされて土が露出している場合、その道路に関連づけされた土道走行音の擬音データが、配信擬音情報４４として配信される。その場合、同一の道路において、リンクレコードに記述された本来の擬音データ（アスファルト道走行音）と、配信擬音情報４４に含まれる新たな擬音データ（土道走行音）の２つが関連づけされることになるが、その場合には新たな擬音データの方を優先的に選択する。新たな擬音データが優先的に選択されることによって、ユーザは、現在の道路状況に近い情報を、擬音を通して知ることができる。
【００５３】
なお、配信擬音情報４４は、リンクレコードの車内用擬音データコードの更新にも使用できる。例えば、道路整備によって土道がアスファルトで舗装された場合には、その道路に対応するリンクのリンクレコードにおいて、車内用擬音データコードを土道走行音のコードからアスファルト道走行音のコードに変更する。リンクレコードの車内用擬音データコードが最新の状態に維持されるため、ユーザは、現在の道路状況に近い情報を、擬音を通して知ることができる。
【００５４】
また、制御部１９は、リンクレコードの車内用擬音データコードを、車両周辺情報取得部１５が取得する自車固有の外部環境情報や、自車両情報取得部１２が取得する自車両情報に応じて書き換えることもできる。例えば、雨量センサ３５が検出している雨量に応じて、走行中の道路に対応するリンクのリンクレコードの車内用擬音データコード（自然音）を、大雨音のコードと小雨音のコードとの間で切り替えるとよい。また例えば、車速センサ３６が検出した自車の車速や、傾斜角センサ３７が検出した路面の角度に応じて、走行中の道路に対応するリンクレコードの車内用擬音データコード（走行音）を切り替えてもよい。これにより、自車両情報や外部環境情報を、ユーザが擬音を通してリアルタイムに知ることができる。
【００５５】
このように、本実施の形態に係るナビゲーション装置１００によれば、走行中の道路（リンク）に応じた擬音が発生されるため、ユーザ（運転者）はその道路の路面状態、交通状況、天候といった自車の走行環境の情報を的確に認識することができる。またその擬音は、自車両情報や外部環境情報に応じて変化するため、ユーザはそれらの情報も擬音を通して把握することができる。
【００５６】
なお、以上の説明では、インフラ情報取得部１６ａが取得する交通情報４１、気象情報４２、災害情報４３などの情報は擬音データを含まないものであったが、その内容に応じた擬音データを含むものであってもよい。つまり、インフラ情報取得部１６ａにも、擬音データを通信により新たに取得する擬音データ取得部としての機能を持たせてもよい。
【００５７】
例えば、降水確率の気象情報４２には、その確率に応じた雨音の擬音データが含まれるようにし、風速情報の気象情報４２にはその風速に応じた風音の擬音データが含まれるようにする。降水確率の気象情報４２に擬音データを含ませる場合、各道路に対応するリンクレコードには、その地域の降水確率に応じて、気象情報４２に含まれている雨音の擬音データコードが記述される。図９のように、地図データ記憶装置１０に２種類の雨音（大雨音、小雨音）しか格納されていない場合でも、降水確率の数値に応じて多数種類（例えば１０％刻みに１０種類）の擬音データが設定可能になり、きめの細かい情報をユーザに提供できる。
【００５８】
＜実施の形態２＞
実施の形態１では、走行音などの擬音が、リンク単位で設定されているが、実施の形態２では、自車の現在位置が高速道路（または有料道路）から一般道に移動したときからの一定時間、その道路（一般道）に対応するリンクのリンクレコードで指定されているものとは異なる特定の擬音（例えばブレーキ音）を鳴らす。
【００５９】
高速道路から一般道に移動した直後は、高速運転に目が慣れているため運転者は無意識のうちにスピードを出しやすくなる傾向にあるが、一般道に移動したことを通常とは異なる擬音を鳴らしてユーザに警告することにより、それを防止することができる。
【００６０】
＜実施の形態３＞
実施の形態１では、車両周辺情報取得部１５が、自車の周囲に障害物（人を含む）を検出したときに、車内スピーカ２１および車外スピーカ２２から擬音（警告音）を鳴らす構成としたが、その機能は、走行中の道路よりも駐車エリアで有効である。駐車エリアでは、各車両に乗り降りする人が、車の前後を行き交うことが多いためである。
【００６１】
そこで実施の形態３では、地図データ記憶装置１０に、地図上の駐車エリアのデータも格納させ、自車位置が道路から外れて駐車エリアにあるときも、当該車両のセンサ（赤外線センサ３１、マイク３２、カメラ３４等）により障害物を検知すると、制御部１９が、擬音合成部１７および擬音発生部１８を制御して、車内スピーカ２１および車外スピーカ２２から所定の擬音を出力させる。
【００６２】
また、実施の形態１において、自車の周囲に障害物（人を含む）を検出したときに、常に擬音（警告音）を鳴らす構成とすると、道幅や周囲の状況によっては走行中に警告音が頻繁に鳴り、かえって運転の妨げとなるような場合も考えられる。
【００６３】
そこで、警告音を鳴らす場所を駐車エリア内に限定するように設定できるようにしてもよい。また同様の理由により、警告音を鳴らすタイミングを、発車の直前（エンジン始動から発車までの間、もしくはエンジン始動からの一定期間）に限定するように設定できるようにしてもよい。また、車両が周辺検知機能を持たない場合も、周囲の人に注意を促すために、駐車エリア内では車外スピーカ２２から擬音を出力することも一定の効果がある。
【００６４】
なお、本発明は、その発明の範囲内において、各実施の形態を自由に組み合わせたり、各実施の形態を適宜、変形、省略することが可能である。
【００６５】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６６】
１０  地図データ記憶装置、１００  ナビゲーション装置、１１  経路探索部、１２  自車両情報取得部、１３  走行道路判定部、１４  操作入力部、１５  車両周辺情報取得部、１６  無線通信部、１６ａ  インフラ情報取得部、１６ｂ  配信擬音情報取得部、１７  擬音合成部、１８  擬音発生部、１９  制御部、２１  車内スピーカ、２２  車外スピーカ、３１  赤外線センサ、３２  マイク、３３  騒音センサ、３４  カメラ、３５  雨量センサ、３６  車速センサ、３７  傾斜角センサ、３８  ＧＰＳ受信機、４１  交通情報、４２  気象情報、４３  災害情報、４４  配信擬音情報、２００  地図データベース、２１０  道路網データ、２１１  ノードデータ、２１２  リンクデータ、２２１  車内用擬音データリスト、２２２  車外用擬音データリスト。
【図１】
2013190637.tif 000003
【図２】
2013190637.tif 000004
【図３】
2013190637.tif 000005
【図４】
2013190637.tif 000006
【図５】
2013190637.tif 000007
【図６】
2013190637.tif 000008
【図７】
2013190637.tif 000009
【図８】
2013190637.tif 000010
【図９】
2013190637.tif 000011
【図１０】
2013190637.tif 000012
【図１１】
2013190637.tif 000013
【図１２】
2013190637.tif 000014
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
道路網の各道路を表すリンクのデータを含む道路網データを格納する記憶部と、
現在位置を取得する現在位置取得部と、
前記現在位置の属するリンクを特定する道路判定部と、
環境音、自然音、走行音、警告音のいずれかを表す複数の擬音データから、前記現在位置の属するリンクに対応付けされた擬音データを判定する擬音判定部と、
前記擬音判定部が判定した擬音データに応じた擬音を車外または車内に出力する擬音発生部とを備える
ことを特徴とする擬音発生システム。
【請求項２】
前記複数の擬音データは、各リンクに対応付けされて前記記憶部に格納されている
請求項１記載の擬音発生システム。
【請求項３】
各リンクに対応付けされた複数の擬音データを、通信により新たに取得する擬音データ取得部をさらに備え、
前記擬音判定部は、前記記憶部に予め格納された擬音データと前記擬音データ取得部によって新たに取得された擬音データとが、同じリンクに対応付けされている場合、前記擬音データ取得部によって新たに取得された擬音データを優先的に選択する
請求項２記載の擬音発生システム。
【請求項４】
各リンクに対応付けされた前記複数の擬音データを、通信により取得する擬音データ取得部をさらに備える
請求項１記載の擬音発生システム。
【請求項５】
前記擬音判定部は、通信により取得した情報に基づいて、前記擬音発生部に出力させる擬音を変更する
請求項１記載の擬音発生システム。
【請求項６】
前記通信により取得した情報は、交通情報、気象情報、災害情報のいずれかを含む
請求項５記載の擬音発生システム。
【請求項７】
各種のセンサにより周辺の状態を検知する周辺情報取得部をさらに備え、
前記擬音判定部は、前記周辺の状態に基づいて、前記擬音発生部に出力させる擬音を変更する
請求項１記載の擬音発生システム。
【請求項８】
前記センサは、赤外線センサ、音センサ、画像センサ、雨センサ、車速センサ、傾斜角センサのいずれかを含む
請求項７記載の擬音発生システム。
【請求項９】
前記リンクのデータは、当該リンクが示す道路の路面素材の情報を含み、
各リンクには、当該リンクが示す道路の路面素材に応じた擬音データが対応付けられている
請求項１記載の擬音発生システム。
【請求項１０】
当該擬音発生システムは、車両に搭載されており、
前記擬音判定部は、前記現在位置が高速道路または有料道路から一般道に移動すると、一定時間、前記擬音発生部から所定の擬音を出力させる
請求項１記載の擬音発生システム。
【請求項１１】
車両に搭載される擬音発生システムであって、
駐車エリアのデータを含む地図データを格納する記憶部と、
現在位置を取得する現在位置取得部と、
前記現在位置が駐車エリアであるとき、当該車両のセンサにより障害物を検知すると、所定の擬音を出力する擬音発生部とを備える
ことを特徴とする擬音発生システム。
【請求項１２】
前記擬音発生部は、前記車両の内と外のそれぞれに擬音を出力する
請求項１１記載の擬音発生システム。
【請求項１３】
道路網の各道路を表すリンクのデータを含む道路網データと、
各リンクに対応付けされる複数の擬音データを示す情報とが格納されている
ことを特徴とする地図データベース。
【請求項１４】
各リンクのデータは、それに対応付けされた擬音データを識別するための識別子を含んでいる
請求項１３記載の地図データベース。
【手続補正２】
【補正対象書類名】明細書
【補正対象項目名】０００７
【補正方法】変更
【補正の内容】
【０００７】
本発明に係る擬音発生システムは、道路網の各道路を表すリンクのデータを含む道路網データを格納する記憶部と、現在位置を取得する現在位置取得部と、現在位置の属するリンクを特定する道路判定部と、環境音、自然音、走行音、警告音のいずれかを表す複数の擬音データから、現在位置の属するリンクに対応付けされた擬音データを判定する擬音判定部と、擬音判定部が判定した擬音データに応じた擬音を車外または車内に出力する擬音発生部とを備えるものである。
【国際調査報告】
2013190637.tif 000015
2013190637.tif 000016
2013190637.tif 000017
2013190637.tif 000018
2013190637.tif 000019
2013190637.tif 000020